(57)【特許請求の範囲】
【請求項１】
受信した放送波の中から電子番組ガイド情報を抽出し第1の記録媒体に記録する記録手段と、
複数のユーザについて、当該ユーザが優先的に視聴するチャンネル、当該ユーザが視聴する時間帯、当該ユーザが視聴するジャンル及び当該ユーザが希望する番組のキーワードからなる当該ユーザの嗜好を示すユーザ嗜好情報を各ユーザに割り当てられるユーザ登録番号及び遠隔操作を行なう遠隔制御手段に割り当てられる遠隔制御識別コードと関連付けて第２の記憶媒体に記憶する識別情報記憶手段と、
複数の上記遠隔制御手段から、当該遠隔制御手段ごとに予め割り当てられた上記遠隔制御識別コードを受信する受信手段と、
受信した上記遠隔制御手段識別コードに対応した上記ユーザ嗜好情報を上記第２の記憶媒体から読出し、読み出した当該ユーザ嗜好情報に基づいて、上記第１の記録媒体に記録されている上記電子番組ガイド情報の中から上記ユーザ嗜好情報に合致する番組の一覧リスト情報をユーザごとのおすすめ番組情報として当該ユーザに提供する情報提供手段と
を具える情報提供装置。
【請求項２】
受信した放送波の中から電子番組ガイド情報を抽出し第1の記録媒体に記録する記録ステップと、
複数のユーザについて、当該ユーザが優先的に視聴するチャンネル、当該ユーザが視聴する時間帯、当該ユーザが視聴するジャンル及び当該ユーザが希望する番組のキーワードからなる当該ユーザの嗜好を示すユーザ嗜好情報を各ユーザに割り当てられるユーザ登録番号及び遠隔操作を行なう遠隔制御手段に割り当てられる遠隔制御識別コードと関連付けて第２の記憶媒体に記憶する識別情報記憶ステップと、
複数の上記遠隔制御手段から、当該遠隔制御手段ごとに予め割り当てられた上記遠隔制御識別コードを受信する受信ステップと、
受信した上記遠隔制御手段識別コードに対応した上記ユーザ嗜好情報を上記第２の記憶媒体から読出し、読み出した当該ユーザ嗜好情報に基づいて、上記第１の記録媒体に記録されている上記電子番組ガイド情報の中から上記ユーザ嗜好情報に合致する番組の一覧リスト情報をユーザごとのおすすめ番組情報として当該ユーザに提供する情報提供ステップと
を具える情報提供方法。
【発明の詳細な説明】
【０００１】
【発明の属する技術分野】
本発明は情報提供装置及び情報提供方法に関し、例えば放送局から送られてくる放送波を受信して当該放送波に応じた映像をモニタに表示する受信機及び当該受信機を遠隔操作するリモートコマンダに適用して好適なものである。
【０００２】
【従来の技術】
従来、アナログ地上波放送による放送サービスを行っている放送局は、使用可能な周波数帯域が予め割り当てられており、当該割り当てられた周波数帯域を用いて自局の番組データを送信するようになされている。視聴者宅に設置されている受信機（以下、これをＩＲＤ（Integrated Receiver Decoder ）と呼ぶ）は、視聴者が行う選局操作に応じて、各放送局からそれぞれ送られてくる番組データのうち所望の放送局の番組データを選択し、当該選択した放送局の番組データをデコードして外部のモニタに表示する。
【０００３】
【発明が解決しようとする課題】
ところでアナログ地上波放送システムにおいては、各放送局からそれぞれ提供される番組を視聴者に知らせることを目的として、電子番組ガイド情報（以下、これをＥＰＧ（Electronic Program Guide）データと呼ぶ）と呼ばれる各番組の内容を示すデータを、特定の放送局から定期的に配信することが提案されている。このＥＰＧデータは、番組タイトル、放送日時、放送チャンネル、番組の説明などの情報からなり、視聴者が視聴する番組を決定する際の判断材料となるものである。
【０００４】
この場合、ＩＲＤは、ＥＰＧデータを送信する放送局から定期的に送られてくるＥＰＧデータを受信してメモリに記憶しておき、視聴者の表示操作に応じて、このＥＰＧデータをメモリから読み出して外部のモニタに表示する。これにより視聴者は、モニタに表示されたＥＰＧデータを目視して、視聴する番組を決定することができる。
【０００５】
ところで、ＥＰＧデータは膨大な数の番組に関する情報を含んでいるが、当該ＥＰＧデータを表示するモニタの表示画面は限られていることから、ＩＲＤは膨大な数の番組のうち一部の番組の情報しかモニタの表示画面に表示することができない。従って視聴者は、膨大な数の番組の中から所望の番組を検索するようなスクロール操作を行わなければならず、視聴対象の番組を検索する際の検索効率が悪い問題があった。
【０００６】
本発明は以上の点を考慮してなされたもので、情報を検索する際の検索効率を一段と向上し得る情報提供装置及び情報提供方法を提案しようとするものである。
【０００７】
【課題を解決するための手段】
かかる課題を解決するため本発明においては、受信した放送波の中から電子番組ガイド情報を抽出し第1の記録媒体に記録する記録手段と、複数のユーザについて、当該ユーザが優先的に視聴するチャンネル、当該ユーザが視聴する時間帯、当該ユーザが視聴するジャンル及び当該ユーザが希望する番組のキーワードからなる当該ユーザの嗜好を示すユーザ嗜好情報を各ユーザに割り当てられるユーザ登録番号及び遠隔操作を行なう遠隔制御手段に割り当てられる遠隔制御識別コードと関連付けて第２の記憶媒体に記憶する識別情報記憶手段と、複数の遠隔制御手段から、当該遠隔制御手段ごとに予め割り当てられた遠隔制御識別コードを受信する受信手段と、受信した遠隔制御手段識別コードに対応したユーザ嗜好情報を第２の記憶媒体から読出し、読み出した当該ユーザ嗜好情報に基づいて、第１の記録媒体に記録されている電子番組ガイド情報の中からユーザ嗜好情報に合致する番組の一覧リスト情報をユーザごとのおすすめ番組情報として当該ユーザに提供する情報提供手段とを設けることにより、ユーザが遠隔制御手段を操作するだけでユーザが嗜好する番組情報を膨大な電子番組ガイド情報の中から選択して提供できる。
【０００８】
【発明の実施の形態】
以下図面について、本発明の一実施の形態を詳述する。
【０００９】
（１）アナログ地上波放送システムの構成
図１において、１は全体としてアナログ地上波放送システムの構成を示し、各放送局に設置されている放送番組提供手段としての送信装置２Ａ〜２Ｎは、放送番組の映像信号及び音声信号を送信アンテナ３Ａ〜３Ｎを介してそれぞれ送信する。中継装置４は、送信装置２Ａ〜２Ｎから送信された放送波をそれぞれ中継して、各視聴者宅に設置されている受信機（以下、これをＩＲＤ（Integrated Receiver Decoder ）と呼ぶ）５に配信する。
【００１０】
ＩＲＤ５は、複数の放送局からそれぞれ配信される放送波を受信アンテナ６によって受信し、視聴者が遠隔操作装置としてのリモートコマンダ７を介してする選局操作に応じて、受信した複数の放送局の番組データの中から指定された放送局の番組データを選択し、当該選択された放送局の番組データを復調して表示手段としてのモニタ８に出力して表示する。
【００１１】
（２）ＩＲＤの構成
図２に示すように、ＩＲＤ５は、リモートコマンダ７（図１）から赤外線に重畳されて送信される命令信号Ｓ１をリモートコマンダ受信部１０において受信し、当該命令信号Ｓ１を電気信号に変換して命令信号Ｓ２を生成した後、これをＣＰＵ（Central Processing Unit ）１１に送出する。
【００１２】
ＣＰＵ１１は、ＲＯＭ（Read Only Memory）１２に格納されている制御プログラムを必要に応じて読み出し、当該読み出した制御プログラムをＲＡＭ（Random Access Memory）１３に転送して展開する。そしてＣＰＵ１１は、このＲＡＭ１３に展開された制御プログラムを読み出して実行することによりＩＲＤ５の各回路を制御するようになされている。
【００１３】
ＣＰＵ１１は、リモートコマンダ受信部１０から送出された命令信号Ｓ２を解析し、その結果、視聴者がリモートコマンダ７（図１）において選局操作を行ったと判断した場合には、当該選局操作に応じたチャンネル選択信号Ｓ３を生成し、これをチューナ１５に送出する。
【００１４】
チューナ１５は、受信アンテナ６（図１）によって受信した放送波の中からチャンネル選択信号Ｓ３に応じたチャンネル（放送局）の放送波を抽出し、当該抽出したチャンネルの放送波を復調することにより音声信号Ｓ５及び映像信号Ｓ６を生成し、このうち音声信号Ｓ５を音声処理部１６に送出する一方、映像信号Ｓ６を映像処理部１７に送出する。
【００１５】
音声処理部１６は、音声信号Ｓ５をアナログディジタル変換した後、ＭＰＥＧ（Moving Picture Experts Group）規格に基づく符号化方式によって圧縮符号化し、その結果得られる音声符号化データＳ７を多重／分離部１８を介して音声デコーダ１９に送出する。映像処理部１７は、映像信号Ｓ６をアナログディジタル変換した後、ＭＰＥＧ規格に基づく符号化方式によって圧縮符号化し、その結果得られる映像符号化データＳ８を多重／分離部１８を介して映像デコーダ２０に送出する。
【００１６】
音声デコーダ１９は、音声符号化データＳ７を伸長復号化し、その結果得た音声データＳ９をディジタルアナログ（Ｄ／Ａ）変換回路２１に送出する。Ｄ／Ａ変換回路２１は、この音声データＳ９をディジタルアナログ変換することにより音声処理部１６に入力される前の音声信号Ｓ１０を復元し、これをモニタ８（図１）に出力する。
【００１７】
映像デコーダ２０は、映像符号化データＳ８を伸長復号化し、その結果得た映像データＳ１１をＲＧＢエンコーダ２２に送出する。ＲＧＢエンコーダ２２は、映像データＳ１１をＮＴＳＣ（National Television System Committee）方式の輝度信号及び色差信号に変換すると共にディジタルアナログ変換することにより映像信号Ｓ１２を生成し、これをモニタ８（図１）に送出する。
【００１８】
かくしてモニタ８（図１）の表示画面８Ａには、視聴者が選択した番組の映像が表示されると共に、当該モニタ８のスピーカから、視聴者が選択した番組の音声が出力される。
【００１９】
ところでアナログ地上波放送システム１においては、各放送局からそれぞれ提供される番組を視聴者に知らせることを目的として、電子番組ガイド情報（以下、これをＥＰＧ（Electronic Program Guide）データと呼ぶ）と呼ばれる番組の説明データを、特定の放送局から定期的に配信するようになされている。
【００２０】
このＥＰＧデータは、番組毎に生成されるものであり、図３に示すように、番組固有の番組ＩＤ（IDentification）、送信元の放送局番号、送信元の放送局名、番組の開始時間、番組の長さ（又は終了時間）、番組タイトル、当該番組タイトルを補完する番組サブタイトル、番組説明、番組のジャンル及び後述する番組アイコンＩＤのような情報からなり、視聴者が視聴する番組を決定する際の判断材料となっている。因みに、番組ＩＤ、放送局番号、ジャンル及び番組アイコンＩＤはコードデータで表され、放送局名、番組タイトル、番組サブタイトル及び番組説明はテキストデータで表され、開始時間及び長さは時間データで表される。
【００２１】
特定の放送局に設置されている送信装置２Ｎは、例えば１週間分のＥＰＧデータを映像信号の垂直帰線消去期間（ＶＢＩ：Vertical Blanking Interval）に重畳して、例えば深夜や早朝などの時間帯を使って毎日定期的に送信する。
【００２２】
この場合、ＩＲＤ５のチューナ１５は、受信アンテナ６（図１）によって受信した放送波の中からＥＰＧデータが重畳されているチャンネルの放送波を抽出し、当該抽出したチャンネルの放送波を復調することにより映像信号Ｓ１５を生成してこれをＶＢＩスライサ２５に送出する。
【００２３】
ＶＢＩスライサ２５は、映像信号Ｓ１５からＥＰＧデータＳ１６を抽出し、これをバスＢＵＳを介してＲＡＭ１３に転送して記憶する。このようにしてＩＲＤ５は、ＲＡＭ１３に記憶されているＥＰＧデータＳ１６を毎日更新し、常に最新のＥＰＧデータＳ１６をＲＡＭ１３に蓄積しておくようになされている。
【００２４】
この状態において、視聴者がリモートコマンダ７（図１）においてＥＰＧ画面を表示するための操作を行うと、リモートコマンダ７はＥＰＧ画面を表示するための命令信号Ｓ１をリモートコマンダ受信部１０に送信する。リモートコマンダ受信部１０は、この命令信号Ｓ１を電気信号でなる命令信号Ｓ２に変換して、これをＣＰＵ１１に送出する。
【００２５】
ＣＰＵ１１は、命令信号Ｓ２が供給されたことを検出すると、ＲＯＭ１２に格納されている文字や記号等の辞書データを基にＲＡＭ１３上でＥＰＧデータＳ１６に対してグラフィック処理を施すことによりＥＰＧ画面データＳ１７を生成し、これをバスＢＵＳを介してグラフィックエンジン２６に送出する。
【００２６】
グラフィックエンジン２６は、ＥＰＧ画面データＳ１７をＮＴＳＣ方式の輝度信号及び色差信号に変換すると共にディジタルアナログ変換することによりＥＰＧ画像信号Ｓ１８を生成し、これをＲＧＢエンコーダ２２に送出する。ＲＧＢエンコーダ２２は、映像信号Ｓ１２とＥＰＧ画像信号Ｓ１８とを混合してモニタ８（図１）に出力し、当該ＥＰＧ画像信号Ｓ１８に応じたＥＰＧ画面をモニタ８の表示画面８Ａに表示する。
【００２７】
ところで、視聴者がリモートコマンダ７（図１）において番組の映像及び音声を記録するための操作を行うと、リモートコマンダ７は記録動作を行うための命令信号Ｓ１をリモートコマンダ受信部１０に送信する。リモートコマンダ受信部１０は、この命令信号Ｓ１を電気信号でなる命令信号Ｓ２に変換してＣＰＵ１１に送出する。
【００２８】
ＣＰＵ１１は、この命令信号Ｓ２が供給されたことを検出すると、バスＢＵＳを介して各回路の動作を制御することにより、リモートコマンダ７（図１）において指定された番組の映像及び音声を記録させるようになされている。このとき多重／分離部１８は、チューナ１５及び音声処理部１６を順次介して得られる音声符号化データＳ７と、チューナ１５及び映像処理部１７を順次介して得られる映像符号化データＳ８とを多重化して多重化データＳ２０を生成し、これを記録メディア部３０に転送して内蔵する記録メディア（図示せず）に記録する。
【００２９】
その際、ＣＰＵ１１は、視聴者によって指定された番組の記録が終了したと判断すると、ＲＡＭ１３に予め格納されているＥＰＧデータＳ１６を基に、記録メディア部３０に記録されている番組のタイトルの一覧でなる記録タイトルリストデータＳ２１を生成し、これをフラッシュメモリ３１に格納する。ＣＰＵ１１は、記録メディア部３０に新たに番組が記録される毎に記録タイトルリストデータＳ２１を更新することにより、常に最新の記録タイトルリストデータＳ２１をフラッシュメモリ３１に蓄積するようになされている。
【００３０】
この状態において、視聴者がリモートコマンダ７（図１）において記録タイトルリスト画面を表示するための操作を行うと、リモートコマンダ７は記録タイトルリスト画面を表示するための命令信号Ｓ１をリモートコマンダ受信部１０に送信する。リモートコマンダ受信部１０は、この命令信号Ｓ１を電気信号でなる命令信号Ｓ２に変換して、これをＣＰＵ１１に送出する。
【００３１】
ＣＰＵ１１は、命令信号Ｓ２が供給されたことを検出すると、記録タイトルリストデータＳ２１をＲＡＭ１３に転送し、ＲＯＭ１２に格納されている文字や記号等の辞書データを基にＲＡＭ１３上で記録タイトルリストデータＳ２１に対してグラフィック処理を施すことにより記録タイトルリスト画面データＳ２２を生成し、これをバスＢＵＳを介してグラフィックエンジン２６に送出する。
【００３２】
グラフィックエンジン２６は、記録タイトルリスト画面データＳ２２をＮＴＳＣ方式の輝度信号及び色差信号に変換すると共にディジタルアナログ変換することにより記録タイトルリスト画像信号Ｓ２３を生成し、これをＲＧＢエンコーダ２２に送出する。ＲＧＢエンコーダ２２は、映像信号Ｓ１２と記録タイトルリスト画像信号Ｓ２３とを混合してモニタ８（図１）に出力し、当該記録タイトルリスト画像信号Ｓ２３に応じた記録タイトルリスト画面をモニタ８の表示画面８Ａに表示する。
【００３３】
ここで、視聴者が、モニタ８の表示画面８Ａに表示される記録タイトルリスト画面を目視しながら、リモートコマンダ７（図１）において所望の番組の映像及び音声を再生するための操作を行うと、リモートコマンダ７は再生動作を行うための命令信号Ｓ１をリモートコマンダ受信部１０に送信する。リモートコマンダ受信部１０は、この命令信号Ｓ１を電気信号でなる命令信号Ｓ２に変換してＣＰＵ１１に送出する。
【００３４】
ＣＰＵ１１は、この命令信号Ｓ２が供給されたことを検出すると、バスＢＵＳを介して各回路の動作を制御することにより、リモートコマンダ７（図１）において指定された番組の映像及び音声を再生するようになされている。すなわち記録メディア部３０は、内蔵する記録メディア（図示せず）に記録されている複数の番組の多重化データの中から指定された番組の多重化データＳ２５を読み出し、これを多重／分離部１８に送出する。
【００３５】
多重／分離部１８は、多重化データＳ２５を音声符号化データＳ２６と映像符号化データＳ２７とに分離し、このうち音声符号化データＳ２６を音声デコーダ１９及びＤ／Ａ変換回路２１を順次介して音声信号Ｓ２８を生成し、これをモニタ８（図１）に出力すると共に、映像符号化データＳ２７を映像デコーダ２０及びＲＧＢエンコーダ２２を順次介して映像信号Ｓ２９を生成し、これをモニタ８に送出する。
【００３６】
なおＣＤ−ＲＯＭ（Compact Disc-Read Only Memory ）３５には、定番番組の番組ロゴや当該定番番組の代表的な出演者の顔写真でなる顔写真アイコンが格納されており、ＣＤ−ＲＯＭデコーダ３６にセットされると、当該ＣＤ−ＲＯＭデコーダ３６、これら番組ロゴや顔写真アイコンのデータを番組を連想させる番組連想データＳ３５としてＣＤ−ＲＯＭ３５から読み出し、これをＣＰＵ１１を介してフラッシュメモリ３１に転送して格納する。
【００３７】
（３）ユーザの登録処理手順
ところで、この実施の形態の場合、ＩＲＤ５を使用するユーザが５人存在し、当該５人のユーザそれぞれにリモートコマンダ７Ａ〜７Ｅが与えられている。この場合、各ユーザはそれぞれ自分に与えられたリモートコマンダ７Ａ〜７Ｅを用いてＩＲＤ５を遠隔操作することにより、１台のＩＲＤ５を共有して使用し得るようになされている。
【００３８】
各リモートコマンダ７Ａ〜７Ｅには、それぞれ固有の識別情報としてのリモートコマンダコード（以下、これをリモコンコードと呼ぶ）が割り当てられており、当該各リモートコマンダ７Ａ〜７Ｅは、ユーザの操作入力に応じた命令情報にリモコンコードを付加したものを命令信号Ｓ１Ａ〜Ｓ１ＥとしてＩＲＤ５にそれぞれ送信している。
【００３９】
この場合、リモートコマンダ７Ａにはリモコンコード「０００」が割り当てられ、リモートコマンダ７Ｂにはリモコンコード「００１」が割り当てられ、リモートコマンダ７Ｃにはリモコンコード「０１０」が割り当てられ、リモートコマンダ７Ｄにはリモコンコード「０１１」が割り当てられ、リモートコマンダダＥにはリモコンコード「１００」が割り当てられている。なおこれら各リモートコマンダ７Ａ〜７Ｅのリモコンコードは、ＩＲＤ５のフラッシュメモリ３１に予め記憶されている。
【００４０】
ここで、この実施の形態の場合、ＩＲＤ５は、各ユーザの放送番組の嗜好情報（以下、これを番組嗜好情報と呼ぶ）を予め登録しておき、当該登録した番組嗜好情報に基づいて各ユーザの嗜好に応じたＥＰＧ画面を生成してモニタ８の表示画面８Ａに表示し得るようになされている。
【００４１】
すなわち、ユーザがＩＲＤ５に設けられている操作入力部４０のユーザ登録画面キーを操作すると、ＩＲＤ５のＣＰＵ１１は、図４に示すユーザの登録処理手順を実行する。この図４においてＣＰＵ１１はユーザ登録処理手順ＲＴ１に入ると、ステップＳＰ１において、ＲＡＭ１３に展開されている制御プログラム及びフラッシュメモリ３１に記憶されている各リモートコマンダ７Ａ〜７Ｅのリモコンコードに基づいて、ＲＡＭ１３上でユーザ登録画面データＳ４０を生成する。
【００４２】
そしてＣＰＵ１１は、このユーザ登録画面データＳ４０をグラフィックエンジン２６及びＲＧＢエンコーダ２２を順次介してモニタ８に出力することにより、図５に示すようなユーザ登録画面４５をモニタ８の表示画面８Ａに表示する。
【００４３】
この図５に示すように、ユーザ登録画面４５は、各ユーザの番組嗜好情報をそれぞれ登録するための複数の番組嗜好情報登録画面４５Ａ〜４５Ｅからなり、当該各番組嗜好情報登録画面４５Ａ〜４５Ｅにそれぞれユーザ登録番号「１」〜「５」及びリモコンコード「０００」〜「１００」を順次割り当てて表示している。
【００４４】
すなわち、番組嗜好情報登録画面４５Ａにはユーザ登録番号「１」及びリモコンコード「０００」が割り当てられ、番組嗜好情報登録画面４５Ｂにはユーザ登録番号「２」及びリモコンコード「００１」が割り当てられ、番組嗜好情報登録画面４５Ｃにはユーザ登録番号「３」及びリモコンコード「０１０」が割り当てられ、番組嗜好情報登録画面４５Ｄにはユーザ登録番号「４」及びリモコンコード「０１１」が割り当てられ、番組嗜好情報登録画面４５Ｅにはユーザ登録番号「５」及びリモコンコード「１００」が割り当てられている。
【００４５】
この場合、各番組嗜好情報登録画面４５Ａ〜４５Ｅは、ＥＰＧ画面の名称となる登録名称、ユーザが優先して視聴するチャンネルを示すＥＰＧチャンネル、ユーザが頻繁に視聴する時間帯を示すＥＰＧ時間帯、ユーザが嗜好するジャンルを示すＥＰＧジャンル、チャンネルや時間帯にかかわらずＥＰＧ画面に優先的に表示を希望する番組のキーワードを示すＥＰＧキーワード、記録メディア部３０に記録されている番組の中からユーザの嗜好に応じた番組を検索する際のキーワードとなる記録済番組キーワードを入力し得るようになされている。
【００４６】
そしてＣＰＵ１１は、続くステップＳＰ２に移って、番組嗜好情報登録画面４５Ａにおいて、図６に示すように、登録名称として「おとうさん」、ＥＰＧチャンネルとして「１、４、８、１２」、ＥＰＧ時間帯として「ＰＭ７：００〜ＰＭ１１：００」、ＥＰＧジャンルとして「映画、スポーツ、ニュース」、ＥＰＧキーワードとして「ＨＨＫスペシャル」、記録済番組キーワードとして「ニュースサテライト、救命病棟１２時」がそれぞれ操作入力部４０を介して入力されると、これを受け付け、以下、同様にして、番組嗜好情報登録画面４５Ｂ〜４５Ｅそれぞれにおいて各ユーザの番組嗜好情報を順次受け付ける。
【００４７】
次いでＣＰＵ１１は、各リモコンコード毎に入力された番組嗜好情報から番組嗜好データＳ４１を生成し、これをバスＢＵＳを介して記憶手段としてのフラッシュメモリ３１に転送して記憶する。そしてＣＰＵ１１はステップＳＰ４において当該処理手順を終了する。
【００４８】
（４）ＥＰＧ画面の表示処理手順
そして、５人のユーザのうち任意のユーザが、自分のリモートコマンダ７のＥＰＧ画面表示キーを操作することにより、情報表示装置として動作するＩＲＤ５のＣＰＵ１１は、図７に示すＥＰＧ画面の表示処理手順を実行する。すなわち図７においてＣＰＵ１１はＥＰＧ画面の表示処理手順ＲＴ２に入ると、見出し情報表示手段として動作し、ステップＳＰ１０に移ってユーザがリモートコマンダ７においてＥＰＧ画面表示キーを選択したか否かを判断し、肯定結果が得られるまで当該処理ステップＳＰ１０を繰り返す。
【００４９】
ステップＳＰ１０において肯定結果が得られると、このことはＥＰＧ画面表示キーが選択されたことを表しており、このときＣＰＵ１１はステップＳＰ１１に移って、リモートコマンダ７から送られてくるリモコンコードを識別する。そしてＣＰＵ１１は、続くステップＳＰ１２に移って、上述のステップＳＰ１１において識別されたリモコンコードに基づいて当該リモコンコードに対応する番組嗜好データＳ４１がフラッシュメモリ３１に記憶されているか否か判断する。
【００５０】
ステップＳＰ１２において肯定結果が得られると、このことはリモートコマンダ７を用いて操作しているユーザの番組嗜好データＳ４１がフラッシュメモリ３１に記憶されていることを表しており、このときＣＰＵ１１はステップＳＰ１３に移って、フラッシュメモリ３１から当該ユーザの番組嗜好データＳ４１を読み出す。
【００５１】
そしてＣＰＵ１１は、続くステップＳＰ１４に移って、フラッシュメモリ３１から読み出した番組嗜好データＳ４１に基づいて、ＲＡＭ１３上でＥＰＧ画面データＳ４２を生成する。そしてＣＰＵ１１は、このＥＰＧ画面データＳ４２をグラフィックエンジン２６及びＲＧＢエンコーダ２２を順次介してモニタ８に出力することにより、図８に示すような、リモートコマンダ７を使用しているユーザの嗜好に合致したＥＰＧ画面４６をモニタ８の表示画面８Ａに表示する。そしてＣＰＵ１１はステップＳＰ１５において当該処理手順を終了する。
【００５２】
これに対してステップＳＰ１２において否定結果が得られると、このことはリモートコマンダ７を用いて操作しているユーザの番組嗜好データＳ４１がフラッシュメモリ３１に記憶されていないことを表しており、このときＣＰＵ１１はステップＳＰ１５に移ってＲＰＧ画面の表示処理手順を終了する。
【００５３】
因みに、ＣＰＵ１１は、ユーザがリモートコマンダ７において記録タイトルリスト画面表示キーを選択すると、フラッシュメモリ３１から記録タイトルリストデータＳ２１を読み出してＲＡＭ１３に展開すると共に、リモートコマンダ７から送られてきたリモコンコードに対応する番組嗜好データＳ４１を読み出し、当該読み出した番組嗜好データＳ４１に基づいて、図９に示すような、リモートコマンダ７を使用しているユーザの嗜好に合致した記録タイトルリスト画面４７を生成してモニタ８の表示画面８Ａに表示する。
【００５４】
（５）実施の形態の動作及び効果
以上の構成において、ＩＲＤ５を共有して使用する複数のユーザは、それぞれ自分のリモートコマンダ７Ａ〜７Ｅを用いてＩＲＤ５を遠隔操作する。ＩＲＤ５は、操作入力部４０を介して各ユーザの番組嗜好情報を受け付け、当該各ユーザの番組嗜好情報を各ユーザが使用するリモートコマンダ７Ａ〜７Ｅのリモコンコードにそれぞれ対応させてフラッシュメモリ３１に格納する。
【００５５】
この状態において、ＣＰＵ１１は、複数のユーザのうち任意のユーザがリモートコマンダ７を用いて番組一覧の表示操作を行うと、当該リモートコマンダ７から送られてきたリモコンコードに対応する番組嗜好情報をフラッシュメモリ３１から読み出し、当該読み出した番組嗜好情報に基づいてリモートコマンダ７を使用するユーザの嗜好に合致した番組一覧をモニタ８の表示画面８Ａに表示する。
【００５６】
これにより各ユーザは、自分のリモートコマンダ７を操作するだけで、膨大な数の番組の中から自分の嗜好に合致した番組の一覧のみをモニタ８の表示画面８Ａに表示することができ、かくして従来のように膨大な数の番組の中から所望の番組を検索するような煩雑な操作を行う必要がなく、各ユーザはＩＲＤ５をあたかも自分専用のＩＲＤのように使用することができる。
【００５７】
このようにＣＰＵ１１は、膨大な数の番組の中から必要な番組のみを表示画面８Ａに表示することから、１つの番組に割り当てられている表示領域を従来に比して拡大することができる。これによりＣＰＵ１１は、番組のタイトルだけでなく例えば番組の詳細な内容や出演者などのような番組に関する付加的な情報を表示画面８Ａに表示することができ、かくしてユーザは、表示画面８Ａに表示される番組一覧から所望の番組を選択する際、番組に関する付加的な情報を表示するような操作を行う必要がなく、この分、番組選択にかかる手間を低減することができる。
【００５８】
また、記録メディア部３０に記録されている番組の中から自分の嗜好に合致した番組のみを記録タイトルリスト画面として表示することにより、記録メディア部３０に記録される番組の数が増大しても、番組の管理に必要な手間を低減することができる。その際、各ユーザは自分の記録タイトルリスト画面しか表示できないことから、別のユーザが記録した番組を誤って消去又は視聴するような誤操作を防止することができる。
【００５９】
以上の構成によれば、複数のユーザの番組嗜好情報を当該各ユーザがそれぞれ使用するリモートコマンダ７Ａ〜７Ｅのリモコンコード毎にＩＲＤ５に予め登録しておき、複数のユーザのうち任意のユーザが自分のリモートコマンダ７を介して番組一覧の表示操作を行うと、当該リモートコマンダ７から送られてるリモコンコードに対応する番組嗜好情報に基づいてリモートコマンダ７を使用するユーザの嗜好に合致した番組の一覧を表示画面８Ａに表示することにより、ユーザは、自分のリモートコマンダ７を操作するだけで、膨大な数の番組の中から自分の嗜好に合致した番組の一覧を表示画面８Ａに表示することができ、かくして番組を検索する際の検索効率を一段と向上することができる。
【００６０】
（６）他の実施の形態
なお上述の実施の形態においては、複数のユーザがそれぞれ自分のリモートコマンダ７Ａ〜７Ｅを用いて１台のＩＲＤ５を使用する場合について述べたが、本発明はこれに限らず、複数のユーザが１台のリモートコマンダを共有して使用するようにしても良い。その際、リモートコマンダは、当該リモートコマンダを使用するユーザを識別し、当該識別したユーザに対応するリモコンコードをＩＲＤ５に送信する。
【００６１】
図１０は、各ユーザのユーザ番号（例えば暗証番号）をそれぞれリモコンコード毎に予め登録しておき、当該ユーザ番号に対応するリモコンコードをＩＲＤ５に送信する場合のリモートコマンダ５０の構成を示す。
【００６２】
この図１０に示すように、リモートコマンダ５０のＣＰＵ５１は、操作入力部５２から入力されるユーザの命令情報を受け付け、この命令情報に応じた画像を必要に応じて液晶表示部５３に表示する。またＣＰＵ５１は、発光部５４と共に送信手段を構成し、この命令情報を必要に応じて発光部５４に送出し、当該発光部５４から命令情報を命令信号Ｓ１として赤外線に重畳してＩＲＤ５に送信する。
【００６３】
リモコンコードプリセットメモリ５５には、予め５つのリモコンコード「０００」、「００１」、「０１０」、「０１１」、「１００」が記憶されており、ユーザはこの５つのリモコンコード「０００」〜「１００」のうちいずれかを使用することができるようになされている。すなわち、ユーザが操作入力部５２のユーザ番号登録キーを操作することにより、ＣＰＵ５１は、図１１に示すユーザ番号の登録処理手順を実行する。
【００６４】
この図１１においてＣＰＵ５１はユーザ番号の登録処理手順ＲＴ３に入ると、ステップＳＰ２０において、リモコンコードプリセットメモリ５５に記憶されているリモコンコードを基に図１２に示すようなユーザ番号登録画面５６Ａ〜５６Ｅを液晶表示部５３に表示する。
【００６５】
この場合、ユーザ番号登録画面５６Ａにはユーザ登録番号「１」及びリモコンコード「０００」が割り当てられ、ユーザ番号登録画面５６Ｂにはユーザ登録番号「２」及びリモコンコード「００１」が割り当てられ、ユーザ番号登録画面５６Ｃにはユーザ登録番号「３」及びリモコンコード「０１０」が割り当てられ、ユーザ番号登録画面５６Ｄにはユーザ登録番号「４」及びリモコンコード「０１１」が割り当てられ、ユーザ番号登録画面５６Ｅにはユーザ登録番号「５」及びリモコンコード「１００」が割り当てられている。
【００６６】
このユーザ番号登録画面５６Ａを表示している状態において、ＣＰＵ５１は、続くステップＳＰ２１に移って、ユーザ番号が操作入力部５２を介して入力されると、これを受け付け、以下、同様にして、ユーザ番号登録画面５６Ｂ〜５６Ｅそれぞれにおいて各ユーザのユーザ番号を順次受け付ける。
【００６７】
そしてＣＰＵ５１は、続くステップＳＰ２２において、上述のステップＳＰ２１において入力されたユーザ番号と当該ユーザ番号に対応するリモコンコードとを組にして識別情報生成手段としてのユーザ番号メモリ５７に記憶する。そしてＣＰＵ５１はステップＳＰ２３において当該処理手順を終了する。
【００６８】
次いで各ユーザは、リモートコマンダ５０において自分のユーザ番号を登録した際のユーザ登録番号「１」〜「５」（すなわちリモコンコード「０００」〜「１００」）に対応するように自分の番組嗜好情報をＩＲＤ５に登録することにより、自分のユーザ番号をリモートコマンダ５０に入力して操作すれば、ＩＲＤ５を遠隔操作することができる。
【００６９】
ところで図１０との対応部分に同一符号を付して示す図１３は、各ユーザの指紋をそれぞれリモコンコード毎に予め登録しておき、当該指紋に対応するリモコンコードをＩＲＤ５に送信する場合のリモートコマンダ６０の構成を示す。この場合、ユーザが操作入力部６１の指紋登録キーを操作することにより、ＣＰＵ６２は、図１４に示す指紋の登録処理手順を実行する。
【００７０】
この図１４においてＣＰＵ６２は指紋の登録処理手順ＲＴ４に入ると、ステップＳＰ３０において図１５に示すような指紋登録画面６３Ａ〜６３Ｅを液晶表示部５３に表示する。このユーザ番号登録画面６３Ａを表示している状態において、ＣＰＵ６２は、続くステップＳＰ３１に移って、液晶表示部５３に重ねて配置されたタッチパネルでなる指紋認識部６４を介して指紋が入力されると、これを受け付け、以下、同様にして、指紋登録画面６３Ｂ〜６３Ｅそれぞれにおいて各ユーザの指紋を順次受け付ける。
【００７１】
そしてＣＰＵ６２は、続くステップＳＰ３２において、上述のステップＳＰ３２において入力された指紋と当該指紋に対応するリモコンコードとを組にして指紋メモリ６５に記憶する。そしてＣＰＵ６２はステップＳＰ３３において当該処理手順を終了する。
【００７２】
次いで各ユーザは、リモートコマンダ６０において自分の指紋を登録した際のユーザ登録番号「１」〜「５」（すなわちリモコンコード「０００」〜「１００」）に対応するように自分の番組嗜好情報をＩＲＤ５に登録することにより、自分の指紋をリモートコマンダ６０に入力して操作すれば、ＩＲＤ５を遠隔操作することができる。
【００７３】
また上述の実施の形態においては、放送番組に関する情報を表示画面８Ａに表示する場合について述べたが、本発明はこれに限らず、所定の情報の内容を示す見出し情報を表示画面８Ａに表示する場合に広く適用することができる。
【００７４】
さらに上述の実施の形態においては、本発明をアナログ地上波放送システム１のＩＲＤ５において受信した情報を表示する場合について述べたが、本発明はこれに限らず、ディジタル衛星放送又は有線放送によって配信される情報を表示する場合に広く適用することができる。
【００７５】
【発明の効果】
上述のように本発明によれば、受信した放送波の中から電子番組ガイド情報を抽出し第1の記録媒体に記録する記録手段と、複数のユーザについて、当該ユーザが優先的に視聴するチャンネル、当該ユーザが視聴する時間帯、当該ユーザが視聴するジャンル及び当該ユーザが希望する番組のキーワードからなる当該ユーザの嗜好を示すユーザ嗜好情報を各ユーザに割り当てられるユーザ登録番号及び遠隔操作を行なう遠隔制御手段に割り当てられる遠隔制御識別コードと関連付けて第２の記憶媒体に記憶する識別情報記憶手段と、複数の遠隔制御手段から、当該遠隔制御手段ごとに予め割り当てられた遠隔制御識別コードを受信する受信手段と、受信した遠隔制御手段識別コードに対応したユーザ嗜好情報を第２の記憶媒体から読出し、読み出した当該ユーザ嗜好情報に基づいて、第１の記録媒体に記録されている電子番組ガイド情報の中からユーザ嗜好情報に合致する番組の一覧リスト情報をユーザごとのおすすめ番組情報として当該ユーザに提供する情報提供手段とを設けることにより、各ユーザが自分の遠隔制御手段を操作するだけでユーザが嗜好する番組情報を予め登録してある自分の番組嗜好情報に従って膨大な電子番組ガイド情報の中からおすすめ番組として選択して提供できるので、煩雑な操作がなくおすすめ番組情報を容易に選択でき、かくして番組情報を選択する際の選択効率を一段と向上し得る情報提供装置を実現できる。
【図面の簡単な説明】
【図１】本発明によるアナログ地上波放送システムを示すブロック図である。
【図２】本発明による情報表示装置の一実施の形態を示すブロック図である。
【図３】ＥＰＧデータの内容を示す略線図である。
【図４】ユーザの登録処理手順を示すフローチャートである。
【図５】ユーザ登録画面を示す略線図である。
【図６】ユーザ登録画面を示す略線図である。
【図７】ＥＰＧ画面の表示処理手順を示すフローチャートである。
【図８】ＥＰＧ画面の表示例を示す略線図である。
【図９】記録タイトルリスト画面の表示例を示す略線図である。
【図１０】他の実施の形態によるリモートコマンダの構成を示すブロック図である。
【図１１】ユーザ番号の登録処理手順を示すフローチャートである。
【図１２】ユーザ番号登録画面を示す略線図である。
【図１３】他の実施の形態によるリモートコマンダの構成を示すブロック図である。
【図１４】指紋の登録処理手順を示すフローチャートである。
【図１５】指紋登録画面を示す略線図である。
【符号の説明】
１……アナログ地上波放送システム、２……送信装置、４……中継装置、５……ＩＲＤ、７……リモートコマンダ、８……モニタ、８Ａ……表示画面、１０……リモートコマンダ受信部、１１……ＣＰＵ、１２……ＲＯＭ、１３……ＲＡＭ、１５……チューナ、１６……音声処理部、１７……映像処理部、１８……多重／分離部、１９……音声デコーダ、２０……映像デコーダ、２１……Ｄ／Ａ変換回路、２２……ＲＧＢエンコーダ、２５……ＶＢＩスライサ、３０……記録メディア部、３１……フラッシュメモリ。
【図１】
0004433234.tif 000002
【図２】
0004433234.tif 000003
【図３】
0004433234.tif 000004
【図４】
0004433234.tif 000005
【図５】
0004433234.tif 000006
【図６】
0004433234.tif 000007
【図７】
0004433234.tif 000008
【図８】
0004433234.tif 000009
【図９】
0004433234.tif 000010
【図１０】
0004433234.tif 000011
【図１１】
0004433234.tif 000012
【図１２】
0004433234.tif 000013
【図１３】
0004433234.tif 000014
【図１４】
0004433234.tif 000015
【図１５】
0004433234.tif 000016